(57)【特許請求の範囲】
【請求項１】
筐体と、
光学系を構成するレンズユニットと、
筐体内に配置され、レンズユニットを収納してレンズユニットの光軸方向に移動可能なホルダと、
ホルダに設けられたコイルと、
筐体に設けられコイルに磁界を提供するヨーク及びマグネット片と、
筐体とホルダとの間に介在され、筐体側の外枠部と、ホルダ側の内枠部と、内枠部と外枠部との間の帯状スプリング部とを有する板バネとを備え、
板バネのスプリング部は複数の円形状湾曲部と、湾曲部間を連結する直線部とを有し、湾曲部の幅は直線部の幅より大きくなっており、前記湾曲部の幅は直線部側から中央部側に向かって徐々に大きくなることを特徴とするカメラモジュールの駆動機構。
【請求項２】
筐体と、
光学系を構成するレンズユニットと、
筐体内に配置され、レンズユニットを収納してレンズユニットの光軸方向に移動可能なホルダと、
ホルダに設けられたコイルと、
筐体に設けられコイルに磁界を提供するヨーク及びマグネット片と、
筐体とホルダとの間に介在され、筐体側の外枠部と、ホルダ側の内枠部と、内枠部と外枠部との間の帯状スプリング部とを有する板バネとを備え、
板バネのスプリング部は複数の円形状湾曲部と、湾曲部間を連結する直線部とを有し、一の湾曲部の直径は当該湾曲部に連結された隣り合う一対の直線部間の間隔より大きくなっており、
前記湾曲部の中心は一対の直線部間の中心線上にあることを特徴とするカメラモジュールの駆動機構。
【請求項３】
板バネのスプリング部のうち、外枠部との連結部および内枠部との連結部は、他の部分より幅広に形成されていることを特徴とする請求項１または２のいずれか記載のカメラモジュールの駆動機構。
【請求項４】
筐体と、レンズユニットを収納するホルダとを有するカメラモジュールの駆動機構用板バネにおいて、
筐体側の外枠部と、
ホルダ側の内枠部と、
内枠部と外枠部との間の帯状スプリング部とを備え、
板バネのスプリング部は複数の円形状湾曲部と、湾曲部間を連結する直線部とを有し、湾曲部の幅は直線部の幅より大きくなっており、前記湾曲部の幅は直線部側から中央部側に向かって徐々に大きくなることを特徴とするカメラモジュールの駆動機構用板バネ。
【請求項５】
筐体と、レンズユニットを収納するホルダとを有するカメラモジュールの駆動機構用板バネにおいて、
筐体側の外枠部と、
ホルダ側の内枠部と、
内枠部と外枠部との間の帯状スプリング部とを備え、
板バネのスプリング部は複数の円形状湾曲部と、湾曲部間を連結する直線部とを有し、一の湾曲部の直径は当該湾曲部に連結された隣り合う一対の直線部間の間隔より大きくなっており、
前記湾曲部の中心は一対の直線部間の中心線上にあることを特徴とするカメラモジュールの駆動機構用板バネ。
【請求項６】
板バネのスプリング部のうち、外枠部との連結部および内枠部との連結部は、他の部分より幅広に形成されていることを特徴とする請求項４または５のいずれか記載のカメラモジュールの駆動機構用板バネ。
【発明の詳細な説明】
【技術分野】
【０００１】
本発明は、カメラモジュールの駆動機構およびカメラモジュールの駆動機構用板バネに係り、とりわけカメラ付携帯電話などのカメラ付き小型電子機器に用いることができるカメラモジュールの駆動機構およびカメラモジュールの駆動機構用板バネに関する。
【背景技術】
【０００２】
カメラ付携帯電話などにおいて、オートフォーカスやズーム等を目的として、コイルに流れる電流と、ヨーク及びマグネットにより構成された磁気回路の磁界との相互作用によって、光軸方向にレンズユニットを変位させることができるカメラモジュールの駆動機構（ボイスコイルモーター）が知られている。
【０００３】
このようなカメラモジュールの駆動機構には、レンズユニットを保持しているホルダを筐体に光軸方向に変位可能に支持するための板バネが使用されている。
【０００４】
ところで板バネはレンズユニットを保持するホルダおよび筐体に取付けられるが、筐体内で変位するホルダを支持するため、レンズユニットの重量が大きい場合は大きなバネ強度が必要となり、レンズユニットの重量が小さい場合はバネ強度を小さくしている。いずれにしても使用時において、板バネには常時繰り返し応力が発生する。板バネは筐体側の外枠部と、ホルダ側の内枠部と、外枠部と内枠部とを連結するスプリング部とを有するが、使用時においては特にスプリング部に応力が集中する。
【０００５】
このようにスプリング部に応力が集中すると、スプリング部の寿命が短くなって、板バネのバネ定数が安定せず、レンズユニットを保持するホルダを安定して移動することができないことがある。
【先行技術文献】
【特許文献】
【０００６】
【特許文献１】特開２００９−１２２３６０
【発明の概要】
【発明が解決しようとする課題】
【０００７】
本発明はこのような点を考慮してなされたものであり、使用時において板バネのうち、とりわけスプリング部に加わる応力集中を未然に防いでスプリング部の寿命を長く延ばすことができ、レンズユニットを保持するホルダを安定して移動することができるカメラモジュールの駆動機構およびカメラモジュールの駆動機構用板バネを提供することを目的とする。
【課題を解決するための手段】
【０００８】
本発明は、筐体と、光学系を構成するレンズユニットと、筐体内に配置され、レンズユニットを収納してレンズユニットの光軸方向に移動可能なホルダと、ホルダに設けられたコイルと、筐体に設けられコイルに磁界を提供するヨーク及びマグネット片と、筐体とホルダとの間に介在され、筐体側の外枠部と、ホルダ側の内枠部と、内枠部と外枠部との間の帯状スプリング部とを有する板バネとを備え、板バネのスプリング部は複数の円形状湾曲部と、湾曲部間を連結する直線部とを有し、湾曲部の幅は直線部の幅より大きくなっており、前記湾曲部の幅は直線部側から中央部側に向かって徐々に大きくなることを特徴とするカメラモジュールの駆動機構である。
【０００９】
本発明は、筐体と、光学系を構成するレンズユニットと、筐体内に配置され、レンズユニットを収納してレンズユニットの光軸方向に移動可能なホルダと、ホルダに設けられたコイルと、筐体に設けられコイルに磁界を提供するヨーク及びマグネット片と、筐体とホルダとの間に介在され、筐体側の外枠部と、ホルダ側の内枠部と、内枠部と外枠部との間の帯状スプリング部とを有する板バネとを備え、板バネのスプリング部は複数の円形状湾曲部と、湾曲部間を連結する直線部とを有し、一の湾曲部の直径は当該湾曲部に連結された隣り合う一対の直線部間の間隔より大きくなっており、前記湾曲部の中心は一対の直線部間の中心線上にあることを特徴とするカメラモジュールの駆動機構である。
【００１０】
本発明は、板バネのスプリング部のうち、外枠部との連結部および内枠部との連結部は、他の部分より幅広に形成されていることを特徴とするカメラモジュールの駆動機構である。
【００１１】
本発明は、筐体と、レンズユニットを収納するホルダとを有するカメラモジュールの駆動機構用板バネにおいて、筐体側の外枠部と、ホルダ側の内枠部と、内枠部と外枠部との間の帯状スプリング部とを備え、板バネのスプリング部は複数の円形状湾曲部と、湾曲部間を連結する直線部とを有し、湾曲部の幅は直線部の幅より大きくなっており、前記湾曲部の幅は直線部側から中央部側に向かって徐々に大きくなることを特徴とするカメラモジュールの駆動機構用板バネである。
【００１２】
本発明は、筐体と、レンズユニットを収納するホルダとを有するカメラモジュールの駆動機構用板バネにおいて、筐体側の外枠部と、ホルダ側の内枠部と、内枠部と外枠部との間の帯状スプリング部とを備え、板バネのスプリング部は複数の円形状湾曲部と、湾曲部間を連結する直線部とを有し、一の湾曲部の直径は当該湾曲部に連結された隣り合う一対の直線部間の間隔より大きくなっており、前記湾曲部の中心は一対の直線部間の中心線上にあることを特徴とするカメラモジュールの駆動機構用板バネである。
【００１３】
本発明は、板バネのスプリング部のうち、外枠部との連結部および内枠部との連結部は、他の部分より幅広に形成されていることを特徴とするカメラモジュールの駆動機構用板バネである。
【発明の効果】
【００１４】
本発明によれば、板バネの帯状スプリング部は複数の円形状湾曲部と、湾曲部間を連結する直線部とを有し、湾曲部の幅は直線部の幅より大きくなっている。また板バネの帯状スプリング部は複数の円形状湾曲部と、湾曲部間を連結する直線部とを有し、一つの湾曲部の直径は当該湾曲部に連結された隣り合う一対の直線部間の間隔より大きくなっている。このため使用時において、板バネのスプリング部のうち、応力が集中し易い円形状湾曲部の強度を上昇させて、スプリング部に加わる応力集中を防ぐことができる。このためスプリング部の寿命を長く延ばすことができる。
【図面の簡単な説明】
【００１５】
【図１】図１はカメラモジュールの駆動機構を示す分解斜視図。
【図２】図２はカメラモジュールの駆動機構に組込まれた上部板バネを示す平面図。
【図３】図３はカメラモジュールの駆動機構に組込まれた下部板バネを示す平面図。
【図４】図４（ａ）〜（ｄ）は、上部板バネおよび下部板バネの第２位置決め孔を示す拡大図。
【図５】図５はカメラモジュールを示す概略側面図。
【図６】図６は上部板バネおよび下部板バネのスプリング部を示す拡大図。
【図７】図７は上部板バネおよび下部板バネのスプリング部の変形例を示す拡大図。
【発明を実施するための形態】
【００１６】
以下、図面を参照して本発明の実施の形態について説明する。
【００１７】
図１乃至図５に示すように、本発明によるカメラモジュールの駆動機構１は、カバー２とベース１３とからなる筐体２Ａと、光学系を構成する複数のレンズ２６からなるレンズユニット２６Ａと、筐体２Ａ内に配置されレンズユニット２６Ａを収納してレンズユニット２６Ａの光軸方向へ移動可能なホルダ９と、ホルダ９の外周に設けられたコイル８と、筐体２Ａのベース１３に設けられコイル８に磁界を提供するヨーク６及びマグネット片７とを備えている。
【００１８】
また上部板バネ５が、筐体２Ａのカバー２と、ヨーク６の上部との間に介在され、下部板バネ１１が、筐体２Ａのベース１３とヨーク６の下部との間に介在されている。この場合、上部板バネ５とカバー２との間に、上部板バネ５の厚み調整用の調整板４が設けられている。
【００１９】
そして下部板バネ１１を介してコイル８に電流を流すことによりホルダ９に上方への力が作用し、レンズユニット２６Ａを上部板バネ５および下部板バネ１１の力に抗して全体として上方へ持上げることができる（図５参照）。
【００２０】
また、入力する電流量を調整することにより、ホルダ９を上方へ移動させる力を変化させ、上部板バネ５および下部板バネ１１の力とのバランスをとることで、ホルダ９の上下移動及びその位置調整を行うことができる。
【００２１】
なお、図５に示すように、筐体２Ａは、中間支持体２１介して基体２０上方に固定され、中間支持体２１には赤外線カットガラス２２を保持するガラス板２４が支持され、基体２０上には撮像素子２５が配置されている。
【００２２】
このように筐体２Ａを有するカメラモジュールの駆動機構１と、赤外線カットガラス２２とガラス板２４とを支持する中間支持体２１と、撮像素子２５が配置された基体２０とによりカメラモジュール１Ａが構成されている。
【００２３】
なお、上記構成のうち、上部板バネ５は図２に示すように、筐体２Ａ側の外枠部５ａと、ホルダ９側の内枠部５ｂと、外枠部５ａと内枠部５ｂとの間に設けられたバネ性をもつスプリング部５ｃとを有している。また下部板バネ１１は図３に示すように、筐体２Ａ側の外枠部１１ａと、ホルダ９側の内枠部１１ｂと、外枠部１１ａと内枠部１１ｂとの間に設けられたバネ性をもつスプリング部５ｃとを有している。
【００２４】
次にカメラモジュールの駆動機構１の各構成部分について、更に説明する。
【００２５】
上述のようにカバー２とベース１３とからなる筐体２Ａ内の空間には、レンズユニット２６Ａを保持しているホルダ９がレンズユニット２６Ａの光軸方向へ変位可能に収容されている。
【００２６】
ホルダ９の上下の各円筒縁部には、それぞれ上部板バネ５の内枠部５ｂと下部板バネ１１の内枠部１１ｂが取付けられており、上部板バネ５の外枠部５ａ（図２参照）は筐体２Ａのベース１３に固定されているヨーク６の上面に取付けられ、下部板バネ１１の外枠部１１ａ（図３参照）は筐体２Ａのベース１３に取付けられている。
【００２７】
上記ヨーク６には複数のマグネット片７が接着されており、アクチュエータ機構１の磁気回路を構成している。そしてこの磁気回路により形成された磁界内にコイル８が配置されている。このコイル８はホルダ９の外周に巻回されており、コイル８に電流を供給することによりホルダ９をレンズユニット２６Ａの光軸方向へ変位させることができる。なお、図５において、符号１２により示す部材は外部電源からコイル８へ電流を供給するための導体（フレキシブルプリント基板等）であり、符号４により示す部材は上述のように上部板バネ５の上面に装着される調整板であり、上部板バネ５の厚みを調整するものである。
【００２８】
次に図２乃至図４および図６乃至図７により、上部板バネ５および下部板バネ１１について更に述べる。
【００２９】
上部板バネ５は図２に示すように四角形状の外枠部５ａと、ホルダ９側のリング状の内枠部５ｂと、外枠部５ａと内枠部５ｂとの間に設けられたバネ性をもつスプリング部５ｃとを有している。
【００３０】
また外枠部５ａとスプリング部５ｃとの間に、上部板バネ５を筐体２Ａのベース１３に固定されているヨーク６の上面に取付ける際の位置決め孔として機能する第１位置決め孔５Ａが設けられている。
【００３１】
この第１位置決め孔５Ａは外枠部５ａの４隅であってスプリング部５ｃとの連結部近傍に設けられている。第１位置決め孔５Ａは筐体２Ａのベース１３に固定されているヨーク６の上面側に設けられた位置決め突起（図示せず）に係合して、上部板バネ５を筐体２Ａのベース１３に固定されているヨーク６の上面側に精度良く位置決めするものである。また第１位置決め孔５Ａ上に上部板バネ５を筐体２Ａのベース１３に固定されているヨーク６の上面へ接着剤（図示せず）を介して接着する接着領域３０が第１位置決め孔５Ａと重ねて形成されている。
【００３２】
また、上部板バネ５のうち内枠部５ｂとスプリング部５ｃとの間に、上部板バネ５をホルダ９に取付ける際の位置決め孔として機能する第２位置決め孔５Ｂが設けられている。
【００３３】
この第２位置決め孔５Ｂはリング状内枠部５ｂのうち、スプリング部５ｃとの連結部１７近傍に設けられている（図２および図４（ａ）〜（ｅ）参照）。第２位置決め孔５Ｂは、ホルダ９側に設けられた位置決め突起（図示せず）に係合して上部板バネ５をホルダ９側に精度良く位置決めするものである。また第２位置決め孔５Ｂ上に上部板バネ５をホルダ９へ接着剤（図示せず）を介して接着する接着領域３０が第２位置決め孔５Ｂと重ねて形成されている。
【００３４】
次に図４（ａ）〜（ｄ）により、上部板バネ５の第２位置決め孔５Ｂについて更に説明する。上部板バネ５の第２位置決め孔５Ｂは上部板バネ５の内枠部５ｂ上であって内枠部５ｂとスプリング部５ｃとの連結部１７からわずかに所定距離ｌだけ離間した地点に設けられている（図４（ａ））。
【００３５】
なお、スプリング部５ｃのうち内枠部５ｂとの連結部（スプリング部５ｃの内枠部側端部）１７をスプリング部５ｃの他の部分より幅広に形成して幅広部１８を設け、この幅広部１８によりスプリング部５ｃの内枠部５ｂとの連結部１７の強度を向上させてもよい（図４（ｂ））。図４（ｂ）において、スプリング部５ｃの連結部１７に幅広部１８を設けたことにより、第２位置決め孔５Ｂを連結部１７近傍に配置することができる。
【００３６】
またスプリング部５ｃの内枠部５ｂとの連結部１７をスプリング部５ｃの他の部分より幅広に形成して幅広部１８を設け、スプリング部５ｃの連結部１７の強度を向上させるとともに、第２位置決め孔５Ｂを連結部１７から所定距離ｌだけ離間させ、第２位置決め孔５Ｂにスプリング部５ｃの連結部１７側に延びる延長孔１９を設けてもよい（図４（ｃ）（ｄ））。この場合、延長孔１９内に接着剤が進入し、連結部１７近傍で上部板バネ５を堅固に固定することができる。また延長孔１９の形状は連結部１７側へ先細状となるように形成されているが（図４（ｃ））、延長孔１９の形状を連結部１７側へ向って同一幅で延びるよう形成してもよい（図４（ｄ））。
【００３７】
上述のように上部板バネ５のスプリング部５ｃのうち内枠部５ｂとの連結部１７をスプリング部５ｃの他の部分より幅広に形成して幅広部１７を設けた例を示したが、上部板バネ５のスプリング部５ｃのうち外枠部５ａとの連結部も連結部１７と同様にスプリング部５ｃの他の部分より幅広に形成されている。
【００３８】
このように上部板バネ５の外枠５ａとスプリング部５ｃとの連結部近傍に第１位置決め孔５Ａを設け、内枠５ｂとスプリング部５ｃとの連結部１７近傍に第２位置決め孔５Ｂを設け、更に第１位置決め孔５Ａおよび第２位置決め孔５Ｂ上に重ねて接着領域３０を設ける。このことにより、バネ性をもつスプリング部５ｃの両端部を筐体２Ａのベース１３に固定されているヨーク６およびホルダ９の各々に精度良く位置決めすることができ、かつスプリング部５ｃの両端部を筐体２Ａのベース１３に固定されているヨーク６およびホルダ９の各々に堅固に固定することができる。
【００３９】
このように上部板バネ５のスプリング部５ｃの両端部を筐体２Ａおよびホルダ９の各々に精度良く位置決めし、かつ堅固に固定することにより、スプリング部５ｃのバネ定数を安定化させることができる。
【００４０】
次に上部板バネ５のスプリング部５ｃについて更に説明する。図２および図６に示すように、スプリング部５ｃは複数の円形状湾曲部３２と、湾曲部３２間を連結する直線部３３とを有している。
【００４１】
カメラモジュールの駆動機構１を使用する際、上部板バネ５に外力が加わり、この場合外力はとりわけ上部板バネ５の湾曲部３２に集中する。このため上部板バネ５の湾曲部３２の幅Ｗ１を直線部３３の幅Ｗ２より大きくとることにより、湾曲部３２に対して応力集中が生じることを防止することができる（図６参照）。
【００４２】
次に上部板バネ５のスプリング部５ｃの変形例を図７に示す。図７に示すように、上部板バネ５のスプリング部５ｃは複数の円形状湾曲部３２と、湾曲部３２間を連結する直線部３３とを有している。そして一つの湾曲部３２の直径Ｄは、この湾曲部３２に連結された隣り合う一対の直線部３３間の間隔Ｌより大きくなっている。
【００４３】
図７において、カメラモジュールの駆動機構を使用する際、上部板バネ５に外力が加わるが、湾曲部３２の直径Ｄを大きくとることにより、湾曲部３２に対して応力集中が生じることを防止することができる。
【００４４】
次に下部板バネ１１について図３および図４（ａ）〜（ｄ）により説明する。この場合下部板バネ１１は、上部板バネ５と略同一形状を有するため、図４（ａ）〜（ｄ）に上部板バネ５と下部板バネ１１の双方を示す。
【００４５】
下部板バネ１１は図３に示すように筐体２Ａ側の四角形状の外枠部１１ａと、ホルダ９側のリング状内枠部１１ｂと、外枠部１１ａと内枠部１１ｂとの間に設けられたバネ性をもつスプリング部１１ｃとを有している。
【００４６】
また外枠部１１ａとスプリング部１１ｃとの間に、下部板バネ１１を筐体２Ａのベース１３に取付ける際の位置決め孔として機能する第１位置決め孔１１Ａが設けられている。
【００４７】
この第１位置決め孔１１Ａは外枠部１１ａの４隅であってスプリング部１１ｃとの連結部近傍に設けられている。第１位置決め孔１１Ａは筐体２Ａのベース１３側に設けられた位置決め突起（図示せず）に係合して、下部板バネ１１を筐体２Ａ側に精度良く位置決めするものである。また第１位置決め孔１１Ａ上に下部板バネ１１を筐体２Ａのベース１３へ接着剤（図示せず）を介して接着する接着領域３０が第１位置決め孔１１Ａと重ねて形成されている。
【００４８】
また、下部板バネ１１のうち内枠部１１ｂとスプリング部１１ｃとの連結部１７近傍に、下部板バネ１１をホルダ９に取付ける際の位置決め孔として機能する第２位置決め孔１１Ｂが設けられている。
【００４９】
第２位置決め孔１１Ｂは、ホルダ９側に設けられた位置決め突起（図示せず）に係合して下部板バネ１１をホルダ９側に精度良く位置決めするものである。また第２位置決め孔１１Ｂ上に下部板バネ１１をホルダ９へ接着剤（図示せず）を介して接着する接着領域３０が第２位置決め孔１１Ｂと重ねて形成されている。
【００５０】
次に図４（ａ）〜（ｄ）により、下部板バネ１１の第２位置決め孔１１Ｂについて更に説明する。下部板バネ１１の第２位置決め孔１１Ｂは下部板バネ１１の内枠部１１ｂ上であって内枠部１１ｂとスプリング部１１ｃとの連結部１７からわずかに所定距離ｌだけ離間した地点に設けられている（図４（ａ））。
【００５１】
なお、スプリング部１１ｃのうち内枠部５ｂとの連結部（スプリング部１１ｃの内枠部側端部）１７をスプリング部１１ｃの他の部分より幅広に形成して幅広部１８を設け、この幅広部１８によりスプリング部１１ｃの内枠部１１ｂとの連結部１７の強度を向上させてもよい（図４（ｂ））。図４（ｂ）において、スプリング部１１ｃの連結部１７に幅広部１８を設けたことにより、第２位置決め孔５Ｂを連結部１７近傍に配置することができる。
【００５２】
またスプリング部１１ｃの内枠部１１ｂとの連結部１７をスプリング部１１ｃの他の部分より幅広に形成して幅広部１８を設け、スプリング部１１ｃの連結部１７の強度を向上させるとともに、第２位置決め孔５Ｂを連結部１７から所定距離ｌだけ離間させ、第２位置決め孔１１Ｂにスプリング部１１ｃの連結部１７側に延びる延長孔１９を設けてもよい（図４（ｃ）（ｄ））。この場合、延長孔１９内に接着剤が進入し、連結部１７近傍で下部板バネ１１を堅固に固定することができる。また延長孔１９の形状は連結部１７側へ先細状となるように形成されているが（図４（ｃ））、延長孔１９の形状を連結部１７側へ向って同一幅で延びるよう形成してもよい（図４（ｄ））。
【００５３】
上述のように下部板バネ１１のスプリング部１１ｃのうち内枠部１１ｂとの連結部１７をスプリング部１１ｃの他の部分より幅広に形成して幅広部１７を設けた例を示したが、下部板バネ１１のスプリング部１１ｃのうち外枠部１１ａとの連結部も連結部１７と同様にスプリング部１１ｃの他の部分により幅広に形成されている。
【００５４】
このように下部板バネ１１の外枠部１１ａとスプリング部１１ｃとの連結部近傍に第１位置決め孔１１Ａを設け、内枠１１ｂとスプリング部１１ｃとの連結部１７近傍に第２位置決め孔１１Ｂを設け、更に第１位置決め孔１１Ａおよび第２位置決め孔１１Ｂ上に重ねて接着領域３０を設ける。このことにより、バネ性をもつスプリング部１１ｃの両端部を筐体２Ａのベース１３およびホルダ９の各々に精度良く位置決めすることができ、かつスプリング部１１ｃの両端部を筐体２Ａのベース１３およびホルダ９の各々に堅固に固定することができる。
【００５５】
このように下部板バネ１１のスプリング部１１ｃの両端部を筐体２Ａおよびホルダ９の各々に精度良く位置決めし、かつ固定することにより、スプリング部１１ｃのバネ定数を安定化させることができる。
【００５６】
また図３において、下部板バネ１１の外枠１１ａには外部の電源に接続される接続端子１１ｅが設けられ、内枠１１ｂにはコイル８側に接続される接続端子１１ｄが設けられ、外部の電源から下部板バネ１１を介してコイル８側へ電流を流すことができる。
【００５７】
ところで、図３に示すように、外枠部１１ａは、互いに離間した一対の外枠部材１１ａ１、１１ａ２からなっており、これにより接続端子１１ｅ、１１ｅ同士が短絡しないようになっている。また、内枠部１１ｂは、互いに離間した一対の内枠部材１１ｂ１、１１ｂ２からなっており、これにより接続端子１１ｄ、１１ｄ同士が短絡しないようになっている。
【００５８】
次に下部板バネ１１のスプリング部１１ｃについて更に説明する。図３および図６に示すように、スプリング部１１ｃは複数の円形状湾曲部３２と、湾曲部３２間を連結する直線部３３とを有している。ここで上部板バネ５のスプリング部５ｃと下部板バネ１１のスプリング部１１ｃとは略同一構成を有するため、図６に上部板バネ５のスプリング部５ｃと下部板バネ１１のスプリング部１１ｃの双方を示す。
【００５９】
カメラモジュールの駆動機構１を使用する際、下部板バネ１１に外力が加わり、この場合外力はとりわけ下部板バネ１１の湾曲部３２に集中する。このため下部板バネ１１の湾曲部３２の幅Ｗ１を直線部３３の幅Ｗ２より大きくとることにより、湾曲部３２に対して応力集中が生じることを防止することができる（図６参照）。
【００６０】
次に下部板バネ１１のスプリング部１１ｃの変形例を図７に示す。図７に示すように、下部板バネ１１のスプリング部１１ｃは複数の円形状湾曲部３２と、湾曲部３２間を連結する直線部３３とを有している。そして一つの湾曲部３２の直径Ｄは、この湾曲部３２に連結された隣り合う一対の直線部３３間の間隔Ｌより大きくなっている。
【００６１】
図７において、カメラモジュールの駆動機構を使用する際、下部板バネ１１に外力が加わるが、湾曲部３２の直径Ｄを大きくとることにより、湾曲部３２に対して応力集中が生じることを防止することができる。
【００６２】
次に上部板バネ５および下部板バネ１１の材料について述べる。上部板バネ５および下部板バネ１１はいずれも銅合金（ベリリウム銅、ニッケル錫銅、チタニウム銅、その他銅合金など）からなる金属板をエッチング加工もしくは打抜き加工して作製される。コイル８へ外部電源からの電流を流す導体の一部として使用する場合は、導電率のよい材料が好ましい。また、バネ特性の観点からは、硬度もしくは引張強度が重視されることもあり、コイル８へ外部電源からの電流を流す導体の一部として使用しない場合は、ステンレス合金（ＳＵＳ３０４、ＳＵＳ３１６、ＴＳ−４など）などの硬い金属板から上部板バネ５および下部板バネ１１を作製してもよい。
【００６３】
次にこのような構成からなる本実施の形態の作用について述べる。
【００６４】
まず下部板バネ１１を介してコイル８に電流を流す。このことによりホルダ９に上方への力が作用し、レンズユニット２６Ａを上部板バネ５および下部板バネ１１の力に抗して全体として上方へ持上げることができる（図５参照）。
【００６５】
また、コイル８に流す電流量を調整することにより、ホルダ９を上方へ移動させる力を変化させ、上部板バネ５および下部板バネ１１の力とのバランスをとることで、ホルダ９の上下移動及びその位置調整を行うことができる。
【００６６】
この場合、上部板バネ５および下部板バネ１１の外枠部５ａ、１１ａのうちスプリング部５ｃ、１１ｃとの連結部近傍に第１位置決め孔５Ａ、１１Ａを設け、内枠部５ｂ、１１ｂのうちスプリング部５ｃ、１１ｃとの連結部１７近傍に第２位置決め孔５Ｂ、１１Ｂを設け、更に第１位置決め孔５Ａ、１１Ａおよび第２位置決め孔５Ｂ、１１Ｂ上に重ねて接着領域３０を設ける。このことにより、上部板バネ５および下部板バネ１１のバネ性をもつスプリング部５ｃ、１１ｃの両端部を筐体２Ａのベース１３に固定されているヨーク６、ベース１３およびホルダ９の各々に精度良く位置決めすることができ、かつスプリング部５ｃ、１１ｃの両端部を筐体２Ａのベース１３に固定されているヨーク６、ベース１３およびホルダ９の各々に堅固に固定することができる。
【００６７】
このように上部板バネ５および下部板バネ１１のスプリング部５ｃ、１１ｃの両端部を筐体２Ａのベース１３に固定されているヨーク６、ベース１３およびホルダ９の各々に精度良く位置決めし、かつ堅固に固定することにより、スプリング部５ｃ、１１ｃのバネ定数を安定化させることができる。
【００６８】
このことにより安定したバネ特性をもつカメラモジュールの駆動機構を得ることができる。
【００６９】
具体的には、下部板バネ１１を介してコイル８に電流を流すことにより、電流とマグネット７の磁界とで相互作用が起こり、ホルダ９が上下移動する。このとき上部板バネ５および下部板バネ１１は、バネ定数ｋに応じてホルダ９の動きを抑制する。
【００７０】
この場合、（ｉ）コイル８に流す電流、（ii）マグネット７のもつ磁力、（iii）上部板バネ５および下部板バネ１１のもつバネ定数からなる３つの要素（ｉ）（ii）（iii）に基づいて、ホルダ９の上下移動およびその位置調整を行なってレンズユニット２６Ａによる焦点を調整することができる。
【００７１】
従って、精度良くレンズユニット２６Ａによる調整を行なうためには、上記３つの要素（ｉ）（ii）（iii）、とりわけ要素（iii）を精度良く定め、かつ安定して設計することが求められている。
【００７２】
本発明によれば、上述のように、スプリング部５ｃ、１１ｃのバネ定数を安定化させることにより、上記３つの要素（ｉ）（ii）（iii）のうち、とりわけ（iii）上部板バネ５および下部板バネ１１のバネ定数の安定化を図ることができる。このことにより、ホルダ９の上下移動およびその位置調整を精度良く行なって、レンズユニット２６Ａによる焦点を精度良く調整することができる。
【００７３】
また上部板バネ５のスプリング５ｃおよび下部板バネ１１のスプリング部１１ｃは、いずれも複数の円形状湾曲部３２と、湾曲部３２間を連結する直線部３３とを有している。
【００７４】
そして湾曲部３２の幅Ｗ１は直線部３３の幅Ｗ２より大きくなっている（図６参照）。あるいは湾曲部３２の直径Ｄは湾曲部３２に連結された隣り合う一対の直線部３３間の間隔Ｌより大きくなっている（図７参照）。
【００７５】
このため使用に際し、上部板バネ５および下部板バネ１１に外力が加わっても、上部板バネ５のスプリング部５ｃおよび下部板バネ１１のスプリング部１１ｃの湾曲部３２に応力集中が生じることはない。このため上部板バネ５および下部板バネ１１の寿命を延ばし、上部板バネ５および下部板バネ１１のバネ特性を安定化させることができる。
【符号の説明】
【００７６】
１  カメラモジュールの駆動機構
１Ａ  カメラモジュール
２  カバー
２Ａ  筐体
４  調整板
５  上部板バネ
５ａ  外枠部
５ｂ  内枠部
５ｃ  スプリング部
５Ａ  第１位置決め孔
５Ｂ  第２位置決め孔
６  ヨーク
７  マグネット片
８  コイル
９  ホルダ
１１  下部板バネ
１１ａ  外枠部
１１ｂ  内枠部
１１ｃ  スプリング部
１１Ａ  第１位置決め孔
１１Ｂ  第２位置決め孔
１２  導体（フレキシブルプリント基板など）
１３  ベース
１７  連結部
１８  幅広部
２０  基体
２１  中間支持体
２２  赤外線カットガラス
２４  ガラス板
２５  撮像素子
２６  レンズ
２６Ａ  レンズユニット
３０  接着領域
３２  湾曲部
３３  直線部
【図１】
0005968669.tif 000002
【図２】
0005968669.tif 000003
【図３】
0005968669.tif 000004
【図４】
0005968669.tif 000005
【図５】
0005968669.tif 000006
【図６】
0005968669.tif 000007
【図７】
0005968669.tif 000008